(57)【特許請求の範囲】
【請求項１】
流体容器の投与ポートにコネクタを付加するための取り付け器具において、
投与ポートを受容するように構成された受容チャンバを有するハウジングが含まれ、
該受容チャンバが、前記ハウジングの一端に挿入口と、円周方向に連続して延びて、該挿入口を囲む連続した縁部を形成する壁部と、を有しており、また、
該受容チャンバが、受容チャンバの壁部に取り付けられた少なくとも１つの、コンプライアンスを有する拘束部材を備え、該拘束部材が、受容チャンバ内への投与ポート挿入時に投与ポートに離脱不能に係合し、受容チャンバ内に投与ポートを固定するように構成されており、更に、
取り付け器具には更に、少なくとも一部が受容チャンバ内に配置された針が含まれ、該針が、受容チャンバ内への投与ポートの挿入時に投与ポートに突き刺さるように構成されている、流体容器の投与ポートにコネクタを付加するための取り付け器具。
【請求項２】
更に、受容チャンバの壁部から内方へ突出する、コンプライアンスを有する複数の拘束部材が含まれる、請求項１記載の取り付け器具。
【請求項３】
前記コンプライアンスを有する拘束部材が、受容チャンバ壁部から非直角の角度で内方へ挿入口とは反対方向へ突出する、請求項２記載の取り付け器具。
【請求項４】
コンプライアンスを有する前記拘束部材が、受容チャンバ壁部と事実上平行に延びる第１部分と、受容チャンバ壁部から内方へ、かつ挿入口とは反対方向へ突出するように付勢された第２部分とを含み、該第２部分が、受容チャンバへの投与ポート挿入時にチャンバ壁部方向にはたわむが、挿入口方向へはたわみ不能である、請求項３記載の取り付け器具。
【請求項５】
コンプライアンスを有する前記拘束部材が、ハウジングに結合される第１端部と、第２部分が有する第２端部とを含み、該第２端部が、挿入された投与ポートに接触することにより受容チャンバ内に投与ポートを固定する、請求項４記載の取り付け器具。
【請求項６】
前記ハウジングが上方部分と下方部分とを含み、該上方部分が底部の隆起部を含み、該下方部分が、上方部分の底部隆起部と結合している、請求項５記載の取り付け器具。
【請求項７】
コンプライアンスを有する前記拘束部材が第１端部に連結部を含み、該連結部が、コンプライアンスを有する拘束部材をハウジング上方部分の底部隆起部に結合するように構成されている、請求項６記載の取り付け器具。
【請求項８】
ハウジングの前記下方部分がハウジングの底部隆起部に結合することにより、ハウジング下方部分が、コンプライアンスを有する拘束部材をハウジングに固定する、請求項７記載の取り付け器具。
【請求項９】
更に、ハウジングの下方部分と上方部分とを結合するスナップばめ結合部が含まれている、請求項８記載の取り付け器具。
【請求項１０】
前記連結部が、底部隆起部を包むように引掛かる鉤として構成されている、請求項９記載の取り付け器具。
【請求項１１】
コンプライアンスを有する拘束部材が、受容チャンバの周囲に、受容チャンバ内の投与ポートの中心に対して対称的に配置されている、請求項４記載の取り付け器具。
【請求項１２】
コンプライアンスを有する前記拘束部材が、異なる直径の投与ポートに順応するように構成された拡張可能な開口を受容チャンバ内に形成している、請求項１１記載の取り付け器具。
【請求項１３】
液密のシールが、取り付け器具と投与ポートとの間に形成される、請求項１乃至１２のいずれか記載の取り付け器具。
【請求項１４】
針無しコネクタが、ハウジング下方部分と針との間に連結される、請求項６乃至１２のいずれか記載の取り付け器具。
【請求項１５】
前記針無しコネクタが、閉鎖式雄型ルーアー、針無し雌型弁、開放式雌型ルーアー、点滴チャンバ・ＩＶ投与用セットの少なくとも１つである、請求項１４記載の取り付け器具。
【発明の詳細な説明】
【技術分野】
【０００１】
ここに開示した実施例は、医療用の結合器具、より詳しく言えば、流体容器、例えば静脈内投与用バッグ等の投与ポートを固定する取り付け器具に関するものである。
【背景技術】
【０００２】
医療分野では、医療の専門家は、しばしば患者に種々の流体を投与する必要がある。例えば、投薬を、経口投与ではなく、流体形式で患者の静脈内に投与することも普通に行われている。通常、静脈内への流体投与は、或る長さの時間にわたり周期的に間隔をおいて行われる。患者への直接注射の反復を避けるために、患者の静脈にカテーテルを内挿することが多い。カテーテルは、その場合、所定の位置に残され、受容部が患者から突出したまま残される。したがって、患者に流体を投与するには、受容部にアクセスする必要があるだけである。この流体投与方法によって、患者にとって苦痛なだけでなく、合併症を発症させるリスクの多い反復注射が不要となる。
カテーテルを介して患者に流体を投与するために、流体源にアクセスする必要がある。一般的に言って、流体はバッグ又は類似の容器に入れてあるため、バッグ又は容器に何らかの仕方でアクセスして、通常は流体チューブを介してバッグ又は容器を患者のカテーテルに接続する必要がある。
【０００３】
流体を内包するバッグにアクセスするには、様々な種類の取り付け器具を利用できる。バッグからの流体取り出し用又はバッグ内への流体注入用の取り付け器具は、医療分野では周知である。通常、その種の取り付け器具は、両端に接続ポートを有するハウジングを含んでいる。一端は、流体バッグの投与ポートに接続され、他端は、患者に流体を送入する流体チューブに接続される。流体は、バッグから取り付け器具を経て、流体チューブを通り、患者に投与される。
【０００４】
現在の取り付け器具は、バッグにアクセスする従来の方法の改良に基づくものだが、問題がない訳ではない。現在の取り付け器具の最も大きな問題は、器具の製造者が、概して、自社製造のバッグにだけに適合する取り付け器具を作っている点である。したがって、現在の取り付け器具は独占的であり、汎用取り付け器具として設計されていない。
このことは、看護士や医者が緊急事態に対処せねばならない医療分野では特に厄介である。そうした時間を争う事態では、医療の専門家は、特定の投与ポートと適合するように構成された取り付け器具を見つけるのに多くの時間をかけることはできない。
【発明の概要】
【発明が解決しようとする課題】
【０００５】
したがって、種々の製造者が作っている広範囲のバッグに適合する汎用取り付け器具の必要性が高い。汎用取り付け器具は、医療分野の効率を高め、取り付け器具を使用する医療専門家、流体の静脈内投与を必要とする患者双方にとって恩恵となる。
【課題を解決するための手段】
【０００６】
前記の必要性及び他の必要性には、ここに開示した実施例により応えることができる。この実施例は、流体容器の投与ポートにコネクタを付加するための取り付け器具を提供するものである。この取り付け器具は、投与ポートを受容するように構成された受容チャンバを有するハウジングを含んでいる。受容チャンバには壁部が含まれている。取り付け器具は、また、コンプライアンスを有する少なくとも１つの拘束部材をハウジング内に含んでいる。この拘束部材は、ハウジングへの投与ポートの挿入時に、投与ポートに順応するように構成されている。コンプライアンスを有する拘束部材は、また、ハウジング内の投与ポートを固定する。取り付け器具は、更に、少なくとも部分的にハウジング内に位置する針を含んでいる。針は、ハウジングへの投与ポート挿入時に、投与ポートに突き刺さるように構成されている。
【０００７】
既述の必要性及び他の必要性は、更に、ここに開示した実施例によって満たされる。該実施例は、受容チャンバを有するハウジングを含む取り付け器具を提供するものである。受容チャンバは、投与ポートを受容するように構成されている。ハウジングは、また圧縮可能な外面を有し、この外面が、受容チャンバ中心へ向かって内方へ圧縮されるように構成されている。圧縮可能なハウジング外面は受容チャンバ内の投与ポートを固定する。取り付け器具は、またハウジング外面に取り付けられたハウジング圧縮部材を含んでいる。ハウジング圧縮部材は、ハウジング外面と協働してハウジングを受容チャンバの中心へ向かって内方へ圧縮するように構成されている。取り付け器具は、更に、少なくとも部分的にハウジング内に位置する針を含んでいる。この針は、ハウジング内への投与ポートの挿入時に、投与ポートを突き通すように構成されている。
開示した実施例の前記特徴及びその他の特徴、態様、利点は、以下の詳細な説明と添付図面とにより、更に明らかとなろう。
【図面の簡単な説明】
【０００８】
【図１】取り付け器具の一実施例の斜視図。（実施例１）
【図２】図１の取り付け器具の断面図。
【図３】図１の取り付け器具と投与ポートの断面図。
【図４】図１の取り付け器具の部分分解図。
【図５】図１のコンプライアンスを有する拘束部材の斜視図。
【図６】図１のハウジングの上部を底部側から見た斜視図。
【図７】取り付け器具の別の実施例の斜視図。（実施例２）
【図８】図７の取り付け器具の断面図。
【図９】図７の取り付け器具と投与ポートとの断面図。
【図１０】取り付け器具の別の実施例の側面図。（実施例３）
【図１１】図１０のスリップ・リングの斜視図。
【図１２】取り付け器具の別の実施例の断面図。（実施例４）
【発明を実施するための形態】
【０００９】
ここで説明する客体は、多くの形態に具体化することができる。したがって、以下に詳説する実施例は、現時点で好ましい実施例であり、本発明を制限するものではない。
【００１０】
開示される実施例は、現在の取り付け器具の独占的性質に係わる問題及びそれに関係する事柄に対処するものである。これらの問題は、長い時間のうちには重大な状況を引き起こすものだからである。開示した実施例により、流体容器の投与ポートにコネクタを付加するための取り付け器具が得られることで、それらの問題は、少なくとも部分的に解決される。この取り付け器具は、投与ポートを受容するように構成された受容チャンバを有するハウジングを含んでいる。また、受容チャンバは壁部を含んでいる。取り付け器具は、またハウジング内に、コンプライアンスを有する少なくとも１つの拘束部材を含んでいる。この拘束部材は、ハウジングへの投与ポート挿入時に、投与ポートに順応するように構成されている。コンプライアンスを有する拘束部材は、またハウジング内に投与ポートを固定する。取り付け器具は、種々の寸法の投与ポート順応するように構成されている。取り付け器具は、更に、少なくとも部分的にハウジング内に位置する針を含んでいる。針は、ハウジング内への投与ポート挿入時に投与ポートに突き刺さるように構成されている。
【００１１】
既述の要求及びその他の要求は、更に別の実施例により満たされる。この実施例により、受容チャンバを有するハウジングを含む取り付け器具が得られる。受容チャンバは投与ポートを受容するように構成されている。ハウジングは、また圧縮可能な外面を含み、この外面が、受容チャンバの中心へ向かって内方へ圧縮されるように構成されている。圧縮可能なハウジング外面は、投与ポートを受容チャンバ内に固定する。取り付け器具は、またハウジング外面に取り付けられたハウジング圧縮部材を含んでいる。ハウジング圧縮部材は、ハウジング外面と協働して、受容チャンバの中心へ向かって内方へハウジングを圧縮するように構成されている。取り付け器具は、種々の寸法の投与ポートに順応するように構成されている。取り付け器具は、更に、少なくとも部分的にハウジング内に位置する針を含んでいる。針は、ハウジング内への投与ポートの挿入時に投与ポートに突き刺さるように構成されている。
【実施例１】
【００１２】
図１及び図２には、ハウジング１２を含む取り付け器具１０が示されている。取り付け器具１０は、針無しコネクタ１４等のコネクタ１４を、静脈内（ＩＶ）投与用のバッグ（図示せず）等の流体容器の投与ポート１６に永久取り付けするのに特に適している。ハウジング１２は、図示の実施例では、概して円筒形状で、幾つかの平らな壁部１８が、湾曲壁部２０に加えて設けられているが、これは一例に過ぎない。ハウジング１２は受容チャンバ２２を含み、ハウジング１２の一端には挿入口２４が設けられている。使用時、挿入口２４から投与ポート１６（図１及び図２には示されていない）が挿入される。
【００１３】
コンプライアンスを有する複数の拘束部材２６がハウジング１２内に配置されている。コンプライアンスを有する拘束部材２６は、図１〜図６に見られるように、指状片として構成されているが、他の構成を採用してもよい。コンプライアンスを有する拘束部材２６は、ハウジング内に配置され、ハウジング１２内への投与ポート１６の挿入時に（図３に見られるように）、投与ポート１６をハウジング１２内に固定するように構成されている。ハウジング１２は、ポリマー材料又は他の材料で形成できる。コンプライアンスを有する拘束部材２６は、金属で形成できるが、ポリマー材料を含む他の材料を使用してもよい。
【００１４】
一好適実施例では、コンプライアンスを有する拘束部材２６が、挿入口２４に向かってハウジング１２の長さに沿って延び、次いで挿入口２４とは反対方向へ非直角の角度で受容チャンバ２２の壁部１８から斜め内方へ突出する。図１及び図２を見ると、コンプライアンスを有する拘束部材２６は、ハウジング頂部から下方へ向かって斜め内方へ延びている。図５を見ると、拘束部材２６は、壁部１８の長さに沿って延びる第１部分２８と、受容チャンバ壁部１８から斜め内方へ突出する第２部分３０とを含んでいる。この第２部分は、投与ポート１６の挿入時に受容チャンバ壁部１８方向にたわむように構成されている。このため、コンプライアンスを有する拘束部材２６は、事実上挿入口２４の直径までの種々の寸法の投与ポート１６に順応することができる。比較的小直径の投与ポート１６は、大直径の投与ポート１６ほどは、第２部分３０を受容チャンバ壁部１８方向へたわませない。第２部分のコンプライアンスにより、ハウジング１２内へは、種々の異なる寸法の投与ポート１６を容易に挿入できる。したがって、取り付け器具１０は、異なる製造者や異なる種類の投与ポート１６に順応できる。
【００１５】
コンプライアンスを有する拘束部材２６は、第２部分３０がチャンバ壁部１８の方向へたわみ可能だが、挿入口２４の方向へは概してたわみ不能である。したがって、投与ポート１６がハウジング１２内へ完全に挿入されると、拘束部材２６は投与ポート１６にバネ力を負荷する。図３に見られるように、拘束部材２６は元の位置に戻るか、又は投与ポート１６の寸法が許す限り元の位置へ近づいて、ハウジング１２内に投与ポート１６を固定する。加えて、拘束部材２６は、その第２部分の端部２９（図５）を投与ポート１６のフランジ３２（図３）に当て付けられる。コンプライアンスを有する拘束部材１６は、上方へは概してたわみ不能であるから、投与ポート１６は、ハウジング１２から容易には抜け出せない。拘束部材２６は複数であるのが好ましい。複数の拘束部材２６は、ハウジング１２内での投与ポート１６の整合を助けるからである。しかし、単一の拘束部材２６でハウジング１２内に投与ポート１６を固定することも考えられる。
【００１６】
別の実施例では、投与ポート１６が完全にハウジング１２内へ挿入されると、コンプライアンスを有する拘束部材２６は、投与ポート１６がハウジング１２から脱出するのを完全に防止する。したがって、拘束部材２６は、投与ポート１６をハウジング１２内に永久固定することになろう。
取り付け器具１０は、更に、針３４を含み、該針３４が、受容チャンバ２２内への投与ポート１６の挿入時に投与ポート１６に突き刺さるように構成されている。図２に示すように、針３４はハウジング１２内に配置されている。針３４は、金属材料又は他の何らかの材料で形成できる。取り付け器具１０は、針３４を備えているので、取り付け器具１０に固定できる針無しのコネクタ１４（図１及び図２）と接続して使用できる。針無しコネクタ１４は、閉鎖型雄ルーアー、例えばテキシウム（Ｔｅｘｉｕｍ）ＴＭ、針無し雌型弁、例えばスマートサイト（ＳｍａｒｔＳｉｔｅ）（登録商標）弁、開放雄型ルーアー、開放雌型ルーアー、取り付け器具１０に直接結合される点滴チャンバ・ＩＶ投与用セットのいずれかでよい。
【００１７】
図４に示すように、ハウジング１２は、２部分、すなわち上方部分３６と下方部分３８とを含んでいる。上方部分３６は底部の隆起部４０を含んでいる。ハウジング１２の下方部分３８が隆起部４０に結合されることで、ハウジング下方部分３８が上方部分３６に結合される。下方部分３８は、スナップばめ、ネジ締結、接着剤による接着、溶接、ファスナー、その他の取り付け手段により、上方部分３６の隆起部４０に結合できる。ハウジング１２の下方部分３８は、ハウジングの上方部分３６に永久取り付けすることができる。取り付け器具１０は、ハウジング１２を少なくとも２部分から形成することにより、より容易に製造できるが、ハウジング１２を一部分のみで形成することも考えられる。
【００１８】
図５は、コンプライアンスを有する拘束部材２６が、その第１端部３１に連結部４２を含むことを示している。図４及び図６に示すように、連結部４２は、ハウジング１２の上方部分３６の底部隆起部４０と結合可能に構成できる。図１〜図６の実施例では、連結部４２は、概してフック状である。連結部４２は、隆起部４０の下から隆起部を包むようにして隆起部に結合できる。ハウジング１２の下方部分３８がハウジング１２の隆起部４０に結合されると、拘束部材２６は、連結部４２が隆起部４０に係止されることでハウジング１２に固定される。下方部分３８が上方部分３６に永久取り付けされる場合には、拘束部材２６の連結部４２も、ハウジング１２の上方部分３６の底部隆起部４０に永久取り付けされる。
【００１９】
投与ポート１６がハウジング１２内へ完全に挿入されて固定されると、液密のシール４４が、取り付け器具１０と投与ポート１６との間に形成される。液密のシール４４により、流体が投与ポート１６と取り付け器具１０とを通過するさい、流体洩れが防止される。したがって、患者には正確な流体用量が投与される。液密シール４４は、また介護者への薬剤の意図しない曝露を防止するのに役立つ。
【実施例２】
【００２０】
図７に示す取り付け器具１０の別の実施例では、ハウジング１２が圧縮可能な外面４６を含んでいる。ハウジングの圧縮可能な外面４６は、受容チャンバ２２の中心へ向かって内方へ圧縮されるように構成されている。ハウジング外面４６の圧縮によって、ハウジングは、受容チャンバ２２内の投与ポート１６の周囲を事実上取り囲んで固定することができる。このように、ハウジング１２は、たわみ可能であり、受容チャンバ２２内の種々の寸法の投与ポート１６に順応するように機能する。
この取り付け器具１０は、更に、ハウジング外面４８に取り付けられたハウジング圧縮部材４８を含んでいる。ハウジング圧縮部材４８は、ハウジング外面４６と協働して、ハウジング１２を受容チャンバ２２の中心へ向かって内方へ圧縮するように構成されている。このように、ハウジング外面４６が圧縮可能である一方、ハウジング圧縮部材４８の操作によって、ハウジング外面４６が投与ポート１６を押圧し固定することができる。
【００２１】
ハウジング１２は事実上円筒形状である。しかし、ハウジング１２は非円筒形状でもよい。ハウジング１２は、少なくとも１つの軸線方向スリット５０を含むが、複数の軸線方向スリット５０を有していてもよい。軸線方向スリット５０は、ハウジング１２の長さに沿って延び、ハウジング１２をたわみ可能にしている。
受容チャンバ２２内への投与ポート１６の挿入時、軸線方向スリット５０のため、ハウジング１２は、外方へたわみ、開かれる。これによって、受容チャンバ２２は、比較的大きな寸法のポートも含めて種々の寸法の投与ポート１６を受容するように適応できる。もちろん、比較的小さい投与ポート１６を使用する場合は、ハウジングを外方へたわませる必要はない。
加えて、軸方向スリット５０は、またハウジング１２を内方へ圧縮する結果、ハウジング１２が、受容チャンバ２２内で投与ポート１６を支えかつ固定することができる。既述のように、これが好ましいのは、ハウジング１２が異なる製造者の種々の寸法の投与ポート１６を受容チャンバ２２内に固定できるからである。
【００２２】
ハウジング外面４６には、ネジを切っておくことができ、ハウジング圧縮部材４８は、同心的にネジに締結されるナットでよい。したがって、ナット４８は、ハウジング外面４６の周囲にねじ込まれ、ハウジング１２は、投与ポート１６の周囲を押圧し締め付けることができる。ハウジング１２は、また挿入口２４を有する第１端部５２を含み、挿入口からは投与ポート１６が受容チャンバ２２内へ挿入される。ハウジング１２は、また第１端部５２とは反対側に第２端部５４を含んでいる。ネジは、第１端部に向かって増大する有効径５６を有することができる。有効径５６の増大により、受容チャンバ２２内への比較的大きい投与ポート１６の挿入が可能になる。軸方向スリット５０を設けることで、挿入された投与ポート１６の周囲に直径５６の増大により生じる弛みが除去される。これは、ナット４８が第１端部５２方向へ移動するにつれて、軸線方向スリット５０によりハウジング１２が、受容チャンバ２２内の投与ポート１６の周囲を圧迫できるからである。これによって、投与ポート１６はハウジング１２内に固定される。
【００２３】
図８に示すように、ハウジング１２には、更に、受容チャンバ２２内に切欠き５８が設けられている。切欠き５８は、投与ポート１６（図８には示されていない）のフランジ３２と協働するように構成されている。図９に示すように、投与ポート１６は、ハウジング１２に挿入されると、切欠き５８にフランジ３２を掴まれ、投与ポート１６はハウジング１２内に固定される。
【００２４】
比較的大きな直径５６に関係する軸線方向スリット５０により可とう性が得られることで、ハウジング１２は、たわみを生じ外方へ拡開され、投与ポート１６を受容することができる。投与ポート１６が挿入されて、切欠き５８がフランジ３２を掴むと、ハウジングは、事実上元の位置に戻るか、又は投与ポート１６の寸法が許す限り元の寸法に近づく。図８に示すように、ネジの有効径５６は、切欠き５８から第１端部５２へ向かってハウジング外面４６に沿って増大している。したがって、ハウジング１２の第１端部５２方向へのナット４８の移動により、ハウジング１２は内方へ圧縮される。これによって、投与ポート１６はハウジング１２の切欠き５８内に固定される。
【００２５】
図７に見られるように、ハウジング外面４６は、第１端部５２とは反対側にフランジ６０を含んでいる。フランジ６０は、使用者が、ナット４８をハウジング１２の周りで回動させるさい掴むことができるように構成かつ配置されている。これによって、取り付け器具１０の容易かつ効果的な使用が保証される。
【実施例３】
【００２６】
別の実施例の場合、図１０及び図１１に示すように、ハウジング１２にはネジが切られていない。ハウジング圧縮部材４８は、ハウジング外面４６に同心的に取り付けられたスリップ・リング４８である。ハウジング外面４６は、第１端部５２と第２端部５４との間に複数の切欠き６２を含んでいる。切欠き６２は、受容チャンバ２２内への投与ポート１６挿入時に、ハウジング第１端部５２方向へのスリップ・リング４８の移動によってハウジング１２が内方へ圧縮されるように構成されている。したがって、投与ポート１６の寸法に応じて、スリップ・リング４８は異なる切欠き４８にはめ合わされる。
【００２７】
図１１に示したスリップ・リング４８は開口６４を含んでいる。この開口は、フランジ６０を超えてスライドできるように形成されている。図１０に示すように、フランジは、４つの別個の区間を含んでいる。このため、開口６４は４つの対応カットアウト部を含むように付形されている。これらのカットアウト部が４つの区間と整合することで、スリップ・リング４８はハウジング上をスリップすることができる。スリップ・リング４８がハウジング１２を囲む位置にある時に、４５度回動させることにより、追加の回動なしにスリップ・リングを外すことができる。スリップ・リング４８は、更に、開口を囲んで半径方向に間隔をおいたスリット６６を含んでいる。スリット６６は、スリップ・リング４８がハウジング１２上をスライドするさい、より高い融通性を与えることができる。
【実施例４】
【００２８】
加えて、図１２が示すように、ハウジング１２は、投与ポート１６の種々の長さに順応できるように形成されている。少なくとも２つのアンダカット部６８が、異なる寸法の投与ポート１６に順応するように、ハウジング１２の内側に設けられている。
【図１】
0005591690.tif 000002
【図２】
0005591690.tif 000003
【図３】
0005591690.tif 000004
【図４】
0005591690.tif 000005
【図５】
0005591690.tif 000006
【図６】
0005591690.tif 000007
【図７】
0005591690.tif 000008
【図８】
0005591690.tif 000009
【図９】
0005591690.tif 000010
【図１０】
0005591690.tif 000011
【図１１】
0005591690.tif 000012
【図１２】
0005591690.tif 000013